(57)【要約】【課題】床パンの横振動を抑制するユニットルーム用床パンの支持構造を簡単な構造で容易に施工できるようにする。【解決手段】設置床Ｇの上に複数本の垂直な支持脚３でユニットルーム用床パン２を支持するユニットルーム用床パンの支持構造であって、床パン２と設置床Ｇの間に、床パン２を水平方向に振動させる横振動Ｈを抑制する水平振動抑制用支持体４が、床パン２及び設置床Ｇに連結するようにして配置され、水平振動抑制用支持体４は、仮想垂直線Ｃの外回りに、床パン側となる上端から設置床側となる下端へ向かって行く程に該仮想垂直線Ｃから離れる３箇所以上の傾斜部分４ａを分散して備えると共に、その下端側を設置床の分散した３箇所以上に連結したこと。【選択図】図１
2011063995.tif 000002
【特許請求の範囲】
【請求項１】
設置床の上に複数本の垂直な支持脚でユニットルーム用床パンを支持するユニットルーム用床パンの支持構造において、床パンと設置床の間に、床パンに生じる水平方向の横振動を抑制する水平振動抑制用支持体が、床パン及び設置床に連結するようにして配置され、水平振動抑制用支持体は、支持体の仮想垂直線の外回りに、床パン側となる上端から設置床側となる下端へ向かって行く程に該仮想垂直線から離れる傾斜部分を分散して備えると共に、設置床へ３箇所以上に分散して又は環状に連続して連結したことを特徴とするユニットルーム用床パンの支持構造。
【請求項２】
前記水平振動抑制用支持体は、傾斜部分を形成する３本以上の棒材と、各棒材の上端側が接合されて床パンに連結する取付板とを備えた請求項１記載のユニットルーム用床パンの支持構造。
【請求項３】
前記棒材の各々の下端側を、前記支持脚の下端寄りに連結し、これら支持脚の下端部を設置床に連結した請求項２記載のユニットルーム用床パンの支持構造。
【請求項４】
前記水平振動抑制用支持体を形成する中刳した截頭錐状部で傾斜部分を形成した請求項１記載のユニットルーム用床パンの支持構造。
【発明の詳細な説明】
【技術分野】
【０００１】
本発明は、浴室ユニット用床パン、シャワーユニット用床パン等のユニットルームの床パンの水平方向の横振動を抑制する床パンの支持構造に関するものである。
【背景技術】
【０００２】
図６に示す如く、床パン２をボルト（例えば、１６ｍｍφ）からなる垂直な支持脚３で支持する構造は、床パン２ｋ垂直方向に振動する縦振動Ｖを抑制することができるが、床パン２の水平方向に振動する横振動Ｈを抑制し難いため横振動Ｈによる共振現象が床パン２に生じ易い。これは、縦振動Ｖにより生じる縦方向の力が支持脚３の縦軸力となって設置床Ｇへ伝達し、この縦軸力による支持脚３の縦方向の変形量が小さいため、縦振動Ｖを充分に抑制できるのに対して、横振動Ｈにより生じる横方向の力が支持脚３に曲げモーメントを生じさせ、この曲げモーメントによる支持脚３の横方向の撓み変形量が大きくなって横振動Ｈを抑制し難くなるからである。
【０００３】
前記床パン２の固有振動数と部屋Ｒの空間の固有モード周波数が倍音関係となるときには、共振現象が生じ、床パン２を備えた部屋Ｒで生じた音を増幅させて、空気伝播で階下又は隣室へ伝達して騒音の原因となることがある。
【０００４】
従来、床パンの横振動を抑制する構造には、図示は省略したが、床パンの裏面に適宜空間を形成してケース体を配設し、該ケース体内にモルタル等の硬化材を投入することにより、防水の裏面及び支持脚の回りに硬化材による補強層を形成して、補強層を含めた支持脚の曲げ剛性を大きくすることで、支持脚の横方向の撓み変形量を小さくして横振動を抑制しようとするものがある（特許文献１）。
【先行技術文献】
【特許文献】
【０００５】
【特許文献１】実開平１−１３７３７３号公報
【発明の概要】
【発明が解決しようとする課題】
【０００６】
しかし、従来の構造は、ケース体の配設と硬化材の投入に多くの手間を必要とし、コストを増大させる問題がある。そこで、本発明は、この問題を解決するために、簡単な構造で容易に施工できるユニットルーム用床パンの支持構造の提供を目的とする。
【課題を解決するための手段】
【０００７】
簡単な構造で容易に施工できるようにするために請求項１記載の本発明が採用した手段は、図１及び図２に示す如く、設置床Ｇの上に複数本の垂直な支持脚３でユニットルーム用床パン２を支持するユニットルーム用床パンの支持構造において、床パン２と設置床Ｇの間に、床パン２に生じる水平方向の横振動Ｈを抑制する水平振動抑制用支持体４が、床パン２及び設置床Ｇに連結するようにして配置され、水平振動抑制用支持体４は、支持体４の仮想垂直線Ｃの外回りに、床パン側となる上端から設置床側となる下端へ向かって行く程に該仮想垂直線Ｃから離れる傾斜部分４ａを分散して備えると共に、設置床へ３箇所以上に分散して又は環状に連続して連結したことを特徴とするユニットルーム用床パンの支持構造である。
【０００８】
請求項１に記載の発明にあっては、横振動により生じる横方向の力が防水パンから水平振動抑制用支持体を介して設置床へ伝達するとき、該横方向の力により傾斜部分に加わる外力の大部分が、水平振動抑制用支持体の傾斜部分の傾斜方向に沿う軸力となり、この軸力による傾斜部分の傾斜方向の変形量を小さくして横振動を充分に抑制できると共に、水平振動抑制用支持体の下端側が仮想垂直線の外回りの分散した３箇所以上又は環状に連続した箇所で設置床へ連結するため、横振動の振動方向が前後又は左右の方向に関係なく横振動による力を設置床へ伝達させて横振動を抑制することができる。
【０００９】
簡単な構造とするために請求項２記載の本発明が採用した手段は、図１及び図２に示す如く、前記水平振動抑制用支持体４は、傾斜部分４ａを形成する３本以上の棒材５と、各棒材５の上端側が接合されて床パン２に連結する取付板６とを備えた請求項１記載のユニットルーム用床パンの支持構造である。
なお、水平振動抑制用支持体４は、３本以上の棒材５の間に配管用空間Ｓを形成して、配管Ｐを貫通できるようにすることもある。
【００１０】
施工を簡単にするため請求項３記載の本発明が採用した手段は、図３に示す如く、前記棒材５の各々の下端側を、前記支持脚３の下端寄りに連結２２し、これら支持脚３の下端部を設置床Ｇに連結２３した請求項２記載のユニットルーム用床パンの支持構造である。  なお、棒材５が長尺となる場合には、棒材５の途中と床パン２とを補助材２５で連結２６，２７して、棒材５の座屈による撓み変形を阻止するようにするがある。
【００１１】
扱い易くするため請求項４記載の本発明が採用した手段は、図４に示す如く、前記水平振動抑制用支持体３４を形成する中刳した截頭錐状部３５で傾斜部分３４ａを形成した請求項１記載のユニットルーム用床パンの支持構造である。
なお、中刳した截頭錐状部３５に、傾斜部分３４ａを残して開口部３５ｂを設け、開口部３５ｂを配管の貫通等に利用できるようにすることもある。
【発明の効果】
【００１２】
請求項１記載の発明に係るユニットルーム用床パンの支持構造は、傾斜部分を分散させて備えた簡単な形状の水平振動抑制用支持体を、床パン及び設置床に連結するように配置することで、横振動を充分に抑制できる構造を容易に施工することを可能にする。
【００１３】
請求項２記載の発明に係るユニットルーム用床パンの支持構造は、傾斜部分を３本以上の棒材で形成することで水平振動抑制用支持体を簡単な構造とすることができる。
【００１４】
請求項３記載の発明に係るユニットルーム用床パンの支持構造は、複数本の垂直な支持脚を有効利用して設置床との連結箇所を少なくすることで、施工を簡単にすることが可能となる。
【００１５】
請求項４記載の発明に係るユニットルーム用床パンの支持構造は、１個の截頭錐状部材で複数の傾斜部分を一体形成することで、扱い易くすることが可能となる。
【図面の簡単な説明】
【００１６】
【図１】本発明に係るユニットルーム用床パンの支持構造（以下、「本発明支持構造」と言う。）の第１の実施の形態を示すものであって、図（Ａ）は本発明支持構造を備えた浴室ユニットの全体を中間省略して示す正面図、（Ｂ）は水平振動抑制用支持体を示す斜視図である。
【図２】第１の実施の形態の要部を拡大したものであり、図（Ａ）は正面図、図（Ｂ）は設置床を除いて示す底面図である。
【図３】本発明支持構造の第２の実施の形態の要部を拡大したものであり、図（Ａ）は正面図、図（Ｂ）は設置床を除いて示す底面図である。
【図４】本発明支持構造の第３の実施の形態の要部を拡大したものであり、図（Ａ）は正面図、図（Ｂ）は設置床を除いて示す底面図である。
【図５】本発明支持構造の第３の実施の形態の別態様の要部を拡大したものであり、図（Ａ）は正面図、図（Ｂ）は設置床を除いて示す底面図である。
【図６】従来のユニットルーム用床パンの支持構造を示すものであって、図（Ａ）は浴室ユニットの全体を中間省略して示す正面図、図（Ｂ）は支持脚の部分を拡大して示す正面図である。
【発明を実施するための形態】
【００１７】
（第１の実施の形態）
図１及び図２に示す第１の実施の形態に係る本発明支持構造１は、設置床Ｇの上にボルト（例えば、１６ｍｍφ）からなる複数本の垂直な支持脚３でユニットルーム用床パン２を支持すると共に、床パン２と設置床Ｇの間に、床パン２の水平方向の横振動Ｈを抑制するための適宜個数（本例は１個）の水平振動抑制用支持体４を、床パン２及び設置床Ｇに連結７，８するようにして配置したものである。水平振動抑制用支持体４は、その中心を通過する仮想垂直線Ｃの外回りに、床パン側Ａとなる上端から設置床側Ｂとなる下端へ向かって行く程に仮想垂直線Ｃから離れる３箇所以上（本例は３箇所）の傾斜部分４ａを略等間隔となるように分散して備えると共に、設置床Ｇの略等間隔で分散した３箇所以上（本例は３箇所）の各箇所Ｇａに傾斜部分４ａの下端側を連結８したものである。
【００１８】
前記水平振動抑制用支持体４は、傾斜部分４ａを形成する３本以上（本例は３本）の棒材５と、各棒材５の上端側を接合した取付板６を備えた簡単な構造に構成されている。棒材５は、鋼、アルミニューム又は繊維強化プラスチック（ＦＲＰ）等からなる中実棒，中空棒又はアングル材等の素材から成形され、同様に鋼、アルミニューム又は繊維強化プラスチック（ＦＲＰ）等から成形した取付板６に、溶接，接着剤又はネジ止め等で強固に接合されている。支持体４は、棒材５，５の間に配管用空間Ｓを形成して、配管Ｐを貫通できるようにしてある。
【００１９】
前記水平振動抑制用支持体４は、床パン２の裏面側に形成した取付部２ａに取付板６をビス止め又は接着剤等で連結７すると共に、設置床Ｇに棒材５の折曲げた下端部５ａをエポキシ樹脂又はモルタル等の接着剤で連結８してある。棒材５の下端部５ａと設置床Ｇの間に隙間が生じているときには、この隙間をスペーサ（図示略）で埋めて隙間を無くするようにして連結８するとよい。
【００２０】
前記床パン２は、図１（Ａ）に示す如く、繊維強化プラスチック（ＦＲＰ）等から成形され、洗い場部２ｂ及び浴槽設置部２ｃが形成され、裏面側に補強用のリブ２ｄが設けられている。床パン２で形成される部屋（浴室）Ｒは、床パン２の外周縁部に立設した壁パネル９及び開閉扉（図示略）と、壁パネル９及び開閉扉の上端に載置した天井板１１で囲まれるようにして形成される。
【００２１】
本発明支持構造１は、図２（Ａ）に示す如く、横振動Ｈにより生じる横方向の力Ｆ１が防水パン２から支持体４を介して設置床Ｇへ伝達するとき、横方向の力Ｆ１により傾斜部分４ａ（棒材５）に加わる外力の大部分が、水平振動抑制用支持体４の傾斜部分４ａの傾斜方向に沿う軸力Ｆ２となり、この軸力Ｆ２による傾斜部分４ａ（棒材５）の傾斜方向の変形量を小さくして横振動Ｈを充分に抑制できると共に、支持体４の下端側が仮想垂直線Ｃの外回りの分散した３箇所で設置床Ｇに連結８するため、横振動Ｈの振動方向が前後又は左右の方向に関係なく横振動Ｈによる力Ｆ１を設置床Ｇへ伝達させ、設置床Ｇから受ける反力で横振動Ｈを抑制することができる。本発明支持構造１は、３箇所の傾斜部分４ａ（棒材５）を分散させて備えた簡単な形状の支持体５を、床パン２及び設置床Ｇに連結７，８するように配置することで、横振動Ｈを充分に抑制できる構造を容易に施工することを可能にする。
【００２２】
本発明支持構造１は、別に縦振動Ｖにより生じる縦方向の力Ｆ２が防水パン２から支持体４を介して設置床Ｇへ伝達したとき、縦方向の力Ｆ３により傾斜部分４ａ（棒材５）に加わる外力の大部分が、水平振動抑制用支持体４の傾斜部分４ａの傾斜方向に沿う軸力Ｆ２となるので、この軸力Ｆ２による傾斜部分４ａ（棒材５）の傾斜方向の変形量を小さくして縦振動Ｖを充分に抑制することもできる。
【００２３】
本発明支持構造１は、床パン２に生じる横振動Ｈを充分に抑制することで、床パン２の固有振動数を高い周波数に変換し、固有振動数による部屋Ｒの共振現象を抑制して、空気伝播で階下又は隣室へ伝達する音を騒音とならないレベルまで低減することを可能にできる。
【００２４】
（第２の実施の形態）
図３に示す第２の実施の形態に係る本発明支持構造２１は、設置床Ｇに連結２３した対応する支持脚３の下端寄りに、支持体４を形成する棒材５の各々の下端側を連結２２した点が前記第１の実施の形態係る本発明支持構造１（図１及び図２参照）と大きく異なり、その他の部分については第１の実施の形態と実質的に同一であり、図３において図１及び図２と同一符号は相当部分を示す。支持脚３は、下端部を設置床Ｇにエポキシ樹脂又はモルタル等の接着剤で連結２３してある。
【００２５】
前記棒材５は、その下端に接合したナット２４を支持脚３に螺着して連結２２してある。本例の如く棒材５が長尺となる場合には、床パン２と棒材５の途中を補助材２５で連結２６，２７して、棒材５の座屈による撓み変形を阻止するとよい。補助材２５は、棒材５と同様に鋼、アルミニューム又は繊維強化プラスチック（ＦＲＰ）等からなる中実棒，中空棒又はアングル材等の素材から成形され、その上端に接合した取付板２８を床パン２の取付部２ｅに接着剤又はビス止め等で連結２６すると共に、下端を棒材５に溶接，接着剤又はネジ止め等で強固に連結２７する。なお、棒材５が短尺で座屈による撓み変形を無視できるときには、図示は省略したが、床パン２と棒材５の途中を補助材２５で連結する必要はない。
【００２６】
本発明支持構造２１は、複数本の垂直な支持脚３を有効利用して設置床Ｇとの連結箇所を少なくすることで、施工を簡単にすることが可能となる。
【００２７】
（第３の実施の形態）
図４に示す第３の実施の形態に係る本発明支持構造３１は、水平振動抑制用支持体３４を形成する中刳した截頭錐状部３５で複数個の傾斜部分３４ａ（第１の実施の形態に係る水平振動抑制用支持体４の傾斜部分４ａに相当する部分）を形成した点が前記第１の実施の形態係る本発明支持構造１（図１及び図２参照）と大きく異なり、その他の部分については第１の実施の形態と実質的に同一であり、図４において図１及び図２と同一符号は相当部分を示す。図４に示す本発明支持構造３１は、中刳した截頭錐状部３５に複数個の傾斜部分３４ａを連続させて形成している。
【００２８】
前記水平振動抑制用支持体３４は、鋼、アルミニューム又は繊維強化プラスチック（ＦＲＰ）等から成形された中刳した截頭錐状部３５と、截頭錐状部３５と一体に形成され又は別体に形成されて截頭錐状部３５に接合した取付板３６と、截頭錐状部３５の下端縁から外側へ等間隔で突設した３個以上のブラケット３７と、各ブラケット３７に螺着した高さ調節用ボルト３８とを備えている。支持体３４は、床パン２の裏面側に形成した取付部２ａに取付板３６をビス止め又は接着剤等で連結７すると共に、設置床Ｇに高さ調節したボルト３８の下端部をエポキシ樹脂又はモルタル等の接着剤で連結８してある。高さ調節用ボルト３８は、上下寸法が非常に短いものを用い、横振動Ｈにより生じる横方向の力で曲げモーメントが生じても、この曲げモーメントによる水平方向の撓み変形量を非常に小さくして無視できる程度にしてある。
【００２９】
前記水平振動抑制用支持体３４は、ブラケット３７及び高さ調節用ボルト３８を省略して、截頭錐状部３５の環状下端縁の全周又は等間隔で分散させた３箇所以上を設置床Ｇに接着剤で連結することもある。もし、截頭錐状部３５の下端縁と設置床Ｇの間に隙間が生じているときには、この隙間をスペーサ（図示略）で埋めて隙間を無くするようにして連結８するとよい。
【００３０】
前記支持体３４は、図５に示す如く、截頭錐状部３５に３箇所以上の傾斜部分３４ａを残して開口部３５ｂを設け、開口部３５ｂを配管の貫通等に利用できるようにすることもある。
【００３１】
本発明支持構造３１は、１個の截頭錐状部３５で複数の傾斜部分３４ａを一体形成することで、扱い易くすることが可能となる。
【産業上の利用可能性】
【００３２】
本発明支持構造１（２１，３１）は、ユニット浴室の床パン２に適用する以外に、シャワーユニット用床パン等のユニットルームの床パンの水平方向の横振動を抑制する目的で適用することも可能である。
【符号の説明】
【００３３】
１（２１，３１）…本発明支持構造、２…床パン、２ａ…取付部、２ｂ…洗い場部、２ｃ…浴槽設置部、２ｄ…リブ、２ｅ…取付部、３…支持脚、４（３４）…水平振動抑制支持体、４ａ（３４ａ）…傾斜部分、４ｃ…中心、５…棒材、５ａ…下端部、６…取付板、７…床パン２と支持体４との連結、８…設置床Ｆと支持体４との連結、９…壁パネル、１０…天井板、２２…棒材５と支持脚３との連結、２３…支持脚３と設置床Ｇとの連結、２４…ナット、２５…補助材、２６…床パン２と補助材２４との連結、２７…補助材２４と棒材５との連結、２８…取付板、３５…截頭錐状部、３５ｂ…開口部、３６…取付板、３７…ブラケット、３８…高さ調節用ボルト、Ａ…床パン側、Ｂ…設置床側、Ｃ…仮想垂直線、Ｆ…力、Ｆ１…横振動Ｈにより生じる横方向の力、Ｆ２…傾斜部分４ａに加わる軸力、Ｇ…設置床、Ｈ…横振動、Ｐ…配管、Ｒ…部屋、Ｓ…配管用空間、Ｖ…縦振動
【図１】
2011063995.tif 000003
【図２】
2011063995.tif 000004
【図３】
2011063995.tif 000005
【図４】
2011063995.tif 000006
【図５】
2011063995.tif 000007
【図６】
2011063995.tif 000008